(57)【要約】【課題】煩雑な操作を必要とせず、情報を入手可能な情報入手システムを提供する。【解決手段】ポスター３の裏面などに、人体を通信経路とする人体通信用の電極４１，４２を配置し、送受信器６が人体通信により詳細情報を送信する。これにより、人体通信機能を有するユーザ端末２を保持するユーザ１は、そのポスター３に接触するだけで詳細情報の入手が可能となるため、ＵＲＬ入力、バーコード認識といった入力の煩わしさがなくなる。また、ポスター３の前面に提示された簡易な情報に対応させて電極４１，４２を配置する。これにより、ユーザ１は、提示された情報の内、さらに詳細な情報を希望するものを選択して接触することで、ユーザが求める詳細情報を得ることができ、一方的な情報の配信とならない。【選択図】図１
2010226214.tif 000002
【特許請求の範囲】
【請求項１】
人体を通信経路とする人体通信を行う携帯端末と情報提供端末を有する情報入手システムであって、
前記携帯端末は、
人体通信により情報取得要求を送信して情報を受信する送受信手段を有し、
前記情報提供端末は、
複数の情報を提示する提示手段と、
前記複数の情報のそれぞれに対応させて配置した複数の電極と、
前記複数の電極のそれぞれに対応させて詳細情報を格納した蓄積手段と、
前記複数の電極の中から１つの電極を選択する切替手段と、
切替手段により選択された前記電極を介して前記情報取得要求を受信したときに、選択された前記電極に対応する前記詳細情報を前記蓄積手段から取得し、当該詳細情報を送信する送受信手段と、を有すること
を特徴とする情報入手システム。
【請求項２】
前記切替手段は、時分割的に前記複数の電極の中から１つの電極を選択することを特徴とする請求項１記載の情報入手システム。
【請求項３】
前記切替手段は、前記複数の電極それぞれにおける受信レベルを検出し、検出した受信レベルに基づいて電極を選択することを特徴とする請求項１記載の情報入手システム。
【請求項４】
前記複数の電極は、複数の前記提示手段に挟まれて配置されることを特徴とする請求項１乃至３のいずれかに記載の情報入手システム。
【発明の詳細な説明】
【技術分野】
【０００１】
本発明は、人体を通信経路とする人体通信により情報を収集する技術に関する。
【背景技術】
【０００２】
広告する方法の１つとしてポスターなど紙媒体を用いる方法がある。ポスターを大きなサイズのものとすることで、通りがかりの人の目に付き易く、瞬間的にその内容を認知してもらえる。近年ではポスターに表示されたＵＲＬ、２次元バーコードからインターネットの対象サイトへと誘導し、さらに詳細な情報の入手を促す方法もとられている。また、大画面ディスプレイを設置し、動画情報を含めた詳細な広告情報を流すといった方法もとられるようにもなってきている。
【０００３】
他方、利用者が受信装置を装着し、所定の案内板の接点に触れて案内板に関連して設けられたデータ送信装置からデータを受信するデータ送受信システムが提案されている（特許文献１参照）。
【先行技術文献】
【特許文献】
【０００４】
【特許文献１】特開２００１−１４４６６１号公報
【発明の概要】
【発明が解決しようとする課題】
【０００５】
しかしながら、紙媒体では時間を経ても人に提供する情報の内容が変わらず、さらに、詳細情報を多く伝えることができないという問題がある。ＵＲＬ、２次元バーコードを利用した詳細情報入手では、ＵＲＬ入力、２次元バーコードの認識にユーザの手間がかかるという問題がある。
【０００６】
大画面ディスプレイを利用する広告では、ユーザが所望する詳細情報の入手までその場に留まって広告を見続ける必要があり、ユーザが自ら選択して詳細情報を取得することができない。特に、大画面ディスプレイを利用する広告は、設置コストがかかるという問題がある。
【０００７】
また、上述したデータ送受信システムで複数のポスターを構成した場合、複数のデータ送信装置が必要になり、設置コストがかかるという問題がある。
【０００８】
本発明は、上記に鑑みてなされたものであり、煩雑な操作を必要とせず、情報を入手可能な情報入手システムを提供することを目的する。
【課題を解決するための手段】
【０００９】
本発明に係る情報入手システムは、人体を通信経路とする人体通信を行う携帯端末と情報提供端末を有する情報入手システムであって、携帯端末は、人体通信により情報取得要求を送信して情報を受信する送受信手段を有し、情報提供端末は、複数の情報を提示する提示手段と、複数の情報のそれぞれに対応させて配置した複数の電極と、複数の電極のそれぞれに対応させて詳細情報を格納した蓄積手段と、複数の電極の中から１つの電極を選択する切替手段と、切替手段により選択された電極を介して情報取得要求を受信したときに、選択された電極に対応する詳細情報を蓄積手段から取得し、当該詳細情報を送信する送受信手段と、を有することを特徴とする。
【００１０】
上記情報入手システムにおいて、切替手段は、時分割的に複数の電極の中から１つの電極を選択することを特徴とする。
【００１１】
上記情報入手システムにおいて、切替手段は、複数の電極それぞれにおける受信レベルを検出し、検出した受信レベルに基づいて電極を選択することを特徴とする。
【００１２】
上記情報入手システムにおいて、複数の電極は、複数の提示手段に挟まれて配置されることを特徴とする。
【発明の効果】
【００１３】
本発明によれば、人体を通信経路とする人体通信を行う携帯端末と情報提供端末を有する情報入手システムにおいて、提示手段が提示する複数の情報のそれぞれに対応させて複数の電極を配置し、複数の電極に対応させて詳細情報を格納し、情報提供端末の送受信手段が携帯端末の送信する情報取得要求を受信して、情報取得要求の受信に用いた電極に対応する詳細情報を送信することにより、携帯端末を保持するユーザは、提示手段に提示された複数の情報のうち、より詳しい情報が知りたい情報に触れるだけでその情報に関する詳細情報を入手することができる。
【００１４】
また、切替手段により電極を選択することで、送受信手段の数を減らすことが可能となる。
【００１５】
このように、本発明によれば、煩雑な操作を必要とせず、情報を入手可能な情報入手システムを提供することができる。
【図面の簡単な説明】
【００１６】
【図１】一実施の形態における情報入手システムの構成を示すブロック図である。
【図２】ユーザ端末が詳細情報を入手する処理の流れを示すシーケンス図である。
【図３】一実施の形態における別の情報入手システムの構成を示すブロック図である。
【図４】図３に示す情報入手システムにおいてユーザ端末が詳細情報を入手する処理の流れを示すシーケンス図である。
【図５】一実施の形態におけるさらに別の情報入手システムの構成を示すブロック図である。
【図６】一実施の形態における情報入手システムの構成を別の電極構成示す側面図である。
【発明を実施するための形態】
【００１７】
以下、本発明の実施の形態について図面を用いて説明する。
【００１８】
図１は、本実施の形態における情報入手システムの構成を示すブロック図である。同図に示す情報入手システムは、ユーザ１が保持するユーザ端末２、ポスター３、複数の電極４１，４２、切替器５、送受信器６、およびホスト７を備える。
【００１９】
ユーザ端末２は、ユーザ１を通信経路として信号を送受信する人体通信機能、および、受信した詳細情報を表示する表示機能を有する。
【００２０】
ポスター３の前面には、商品名などの簡潔な複数の情報が提示されている。ポスター３の裏側には、ポスター３の前面に提示された簡潔な情報に対応させて複数の電極４１，４２が配置される。
【００２１】
切替器５は、電極４１，４２の中から１つを選択して送受信器６に接続する。
【００２２】
送受信器６は、切替器５によって接続された電極４１，４２、およびユーザ１を介してユーザ端末２とデータの送受信を行う。ユーザ１が電極４１，４２に近接することにより、ユーザ端末２と送受信器６の通信経路が確立する。送受信器６は、ユーザ１が近接した電極４１，４２を特定し、その電極４１，４２に対応する詳細情報をホスト７から読み出し、ユーザ端末２へ送信する。ポスター３で提示された情報に対応させて電極４１，４２を配置し、電極４１，４２に対応させて詳細情報をホスト７に格納する。これにより、送受信器６は、ポスター３で提示された情報に対応する詳細情報をホスト７から読み出して送信することができる。
【００２３】
次に、ユーザ端末２が詳細情報を受信する処理について説明する。図２は、ユーザがポスターに接触したときに、ユーザ端末２が詳細情報を入手する処理の流れを示すシーケンス図である。
【００２４】
まず、ユーザ１が詳細情報を入手したい商品や情報が記載されたポスター３に接触すると、ポスター３に記載された商品や情報に対応して配置された電極４１とユーザ１が近接し、ユーザ端末２と送受信器６との間の通信経路が確立する。このとき、切替器５は、電極４１と送受信器６とを接続しているものとする。
【００２５】
ユーザ端末２が送信する情報取得要求は、ユーザ１、電極４１、および切替器５を介して送受信器６で受信され、送受信器６を経由してホスト７へ届く（ステップＳ２０１）。送受信器６が情報取得要求を受信したときは、そのとき切替器５が選択している電極４１を識別する情報を取得し、選択された電極４１に対応する詳細情報をホスト７に要求する。
【００２６】
情報取得要求を受信したホスト７は、要求された詳細情報を送受信器６に送信する（ステップＳ２０２）。
【００２７】
ホスト７から詳細情報を受信した送受信器６は、その詳細情報を分割した詳細情報の分割データを電極４１、ユーザ１を介してユーザ端末２へ送信する（ステップＳ２０３）。もちろん、詳細情報を分割せず一括して送信するものでもよい。
【００２８】
詳細情報の分割データを受信したユーザ端末２は、データを受信したことを示すＡＣＫを送受信器６へ送信する（ステップＳ２０４）。
【００２９】
ＡＣＫを受信した送受信器６は、次の詳細情報の分割データをユーザ端末２へ送信し（ステップＳ２０５）、詳細情報の分割データを受信したユーザ端末２は、ＡＣＫを送受信器６へ送信する（ステップＳ２０６）。このように、ユーザ端末２と送受信器６はデータの欠落がないように分割データが受信されたことを確認しながら通信を行う。
【００３０】
すべての詳細情報の分割データを送り終わった送受信器６は、ホスト７へ完了通知を送信し（ステップＳ２０７）、受信待機となる。
【００３１】
なお、ユーザ１が電極４２に接触した場合は、上記の処理と同様に、電極４２に対応する詳細情報がホスト７から送受信器６に送られ、ユーザ端末２に届く。切替器５が複数の電極４１，４２の中から１つを選択して送受信器６に接続することで、送受信器６の数を減らすことができる。本実施の形態では、電極４１，４２が２つの例を示したが、これに限るものではなく、３つ以上の電極をポスター３に提示された情報に対応させて配置するものでもよい。もちろん、複数のポスターを配置し、それぞれのポスターに対して電極を１つづつ設置するものでもよい。
【００３２】
図３は、本実施の形態における別の情報入手システムの構成を示すブロック図である。同図においては、電極４１，４２、切替器５、および送受信器６のみを示している。他の構成は、図１に示したものと同様であるので、ここでの説明は省略する。
【００３３】
図３に示す切替器５は、送受信器６と複数の電極４１，４２との接続を選択的に切り替えるスイッチ５１を備える。送受信器６は、通信を行う送受信回路６１とスイッチ５１の接続先を時分割的に選択する選択回路６２を備える。選択回路６２は、一定時間間隔で電極４１，４２のどちらかが送受信回路６１と接続するようにスイッチ５１を切り替える。以下、送受信器６とユーザ端末２が通信する動作の流れを説明する。
【００３４】
図４は、図３に示す情報入手システムにおいてユーザ端末２が詳細情報を入手する処理の流れを示すシーケンス図である。
【００３５】
図４に示すように、選択回路６２は、スイッチ５１を制御して電極４１，４２の接続を一定時間間隔で切り替える。ユーザ端末２を保持するユーザ１が電極４１，４２に接触していないときは、情報取得要求は送受信器６に届くことはない。
【００３６】
電極４２が選択されているときに、ユーザ１が電極４２に接触すると、ユーザ端末２と送受信器６との間にユーザ１、電極４２を介する通信経路が確立する。その結果、ユーザ端末２が送信する情報取得要求は、ユーザ１、電極４２、および切替器５を介して送受信器６で受信され、送受信器６を経由してホスト７へ届く（ステップＳ４０１）。このとき、送受信器６は、選択回路６２が選択している電極４２に対応する詳細情報をホスト７に要求する。通信が成立した場合、選択回路６２は、通信完了まで選択期間を延長する。
【００３７】
情報取得要求を受信したホスト７は、要求された詳細情報を送受信器６に送信する（ステップＳ４０２）。
【００３８】
ホスト７から詳細情報を受信した送受信器６は、その詳細情報を分割した詳細情報の分割データを電極４２、ユーザ１を介してユーザ端末２へ送信する（ステップＳ４０３）。
【００３９】
詳細情報の分割データを受信したユーザ端末２は、データを受信したことを示すＡＣＫを送受信器６へ送信する（ステップＳ４０４）。
【００４０】
ＡＣＫを受信した送受信器６は、次の詳細情報の分割データをユーザ端末２へ送信し（ステップＳ４０５）、詳細情報の分割データを受信したユーザ端末２は、ＡＣＫを送受信器６へ送信する（ステップＳ４０６）。
【００４１】
すべての詳細情報の分割データを送り終わった送受信器６は、ホスト７へ完了通知を送信し（ステップＳ４０７）、受信待機となり、選択回路６２は別の電極４１に接続を切り替える。
【００４２】
このように、選択回路６２がスイッチ５１を制御して送受信回路６１と接続される電極４１，４２を一定時間間隔で切り替えることにより、送受信器６の台数を減らすことが可能となる。
【００４３】
図５は、本実施の形態におけるさらに別の情報入手システムの構成を示すブロック図である。同図においては、電極４１，４２、切替器５、および送受信器６のみを示している。他の構成は、図１に示したものと同様であるので、ここでの説明は省略する。
【００４４】
図５に示す切替器５は、複数の電極４１，４２に接続され、電極４１，４２それぞれの受信信号レベルを取得するレベル検出回路５２を備える。レベル検出回路５２が電極４１，４２のいずれかから所定の閾値以上の受信信号レベルを検出すると、その電極４１，４２と送受信器６とを接続し、通信経路を形成する。
【００４５】
例えば、ユーザ端末２を保持するユーザ１が電極４１に接触すると、レベル検出回路５２は、電極４１から所定の閾値以上の受信信号レベルを検出するので、切替器５は、電極４１と送受信器６を接続して、電極４１で受信される受信信号を送受信器６に伝送する。なお、受信信号レベルが最大の電極４１，４２を接続するものでもよい。
【００４６】
図６は、本実施の形態における情報入手システムの別の電極構成を示す側面図である。同図に示す電極構成では、電極４１，４２の両面にポスター３１，３２をそれぞれ配置しているので、薄く構成でき、どちらの面から接触した場合も対応できるので、車内の吊り広告のような従来のポスターとの置き換えが可能である。
【００４７】
したがって、本実施の形態によれば、ポスター３の裏面などに、人体を通信経路とする人体通信用の電極４１，４２を配置し、送受信器６が人体通信により詳細情報を送信することにより、人体通信機能を有するユーザ端末２を保持するユーザ１は、そのポスター３に接触するだけで詳細情報の入手が可能となるため、ＵＲＬ入力、バーコード認識といった入力の煩わしさがなくなる。また、ポスター３の前面に提示された簡潔な情報に対応させて電極４１，４２を配置することで、ユーザ１は、提示された情報の内、さらに詳細な情報を希望するものの選択が可能となり、一方的な情報の配信とならない。さらに、切替器５により複数の電極４１，４２と送受信器６との接続を切り替えることにより、送受信器６の台数を減らすことが可能となり、設置コストを削減できる。
【００４８】
大画面ディスプレイを利用する場合と比べ設置面積、厚さが小さく、設置コストも安価である。
【００４９】
手書き、写真を貼っただけの簡潔な広告でも詳細情報がユーザ端末２に届くので、日々変更する情報（デパート広告、ランチメニュー、ニュース配信等）に有効である。
【００５０】
ユーザ端末２が情報取得要求に加えてユーザ１の様々な情報を送信することで、ユーザ１のリサーチが可能となり、ホスト７は、ユーザ１のニーズに沿った更に細かいサービスの提供も可能となる。
【符号の説明】
【００５１】
１…ユーザ
２…ユーザ端末
３，３１，３２…ポスター
４１，４２…電極
５…切替器
５１…スイッチ
５２…レベル検出回路
６…送受信器
６１…送受信回路
６２…選択回路
７…ホスト
【図１】
2010226214.tif 000003
【図２】
2010226214.tif 000004
【図３】
2010226214.tif 000005
【図４】
2010226214.tif 000006
【図５】
2010226214.tif 000007
【図６】
2010226214.tif 000008